【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示について、保留記憶として記憶する保留記憶手段と、
可変表示を開始するときに、前記有利状態に制御するか否かを決定する事前決定手段と、
前記事前決定手段による決定結果にもとづいて、可変表示の制御を行う可変表示制御手段と、
前記事前決定手段の決定前に、前記有利状態に制御されるか否かを判定する特定判定手段と、
前記特定判定手段の判定結果に応じて該特定判定手段の判定対象に対応する保留表示を通常態様とは異なる表示態様に変化させて表示する予告演出を実行可能な予告演出実行手段と、
保留表示の表示態様が変化することを示唆する示唆演出を実行する示唆演出実行手段と、
少なくとも、所定状態における保留表示として、保留表示の表示に伴い特定演出を実行し、所定の周期で動作表示する特定保留表示を表示させることが可能な特定保留表示実行手段とを備え、
保留表示のうちのいずれの保留表示の表示態様が変化するかに応じて期待度が異なり、
前記特定保留表示実行手段は、特定保留表示の表示中に新たな特定保留表示を表示させるときに、前記特定演出の実行後に、表示中の特定保留表示の動作表示に前記新たな特定保留表示の動作表示を同期させる
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００９
【補正方法】変更
【補正の内容】
【０００９】
（手段１）本発明による遊技機は、可変表示（例えば、第１特別図柄や第２特別図柄、演出図柄の変動表示）を行い、遊技者にとって有利な有利状態（例えば、大当り遊技状態）に制御可能な遊技機であって、未だ開始されていない可変表示について、保留記憶（例えば、第１保留記憶や第２保留記憶）として記憶する保留記憶手段（例えば、第１保留記憶バッファや第２保留記憶バッファ）と、可変表示を開始するときに、有利状態に制御するか否かを決定する事前決定手段（例えば、遊技制御用マイクロコンピュータ５６０がステップＳ６１，Ｓ６２，Ｓ７３を実行する部分）と、事前決定手段による決定結果にもとづいて、可変表示の制御を行う可変表示制御手段（例えば、演出制御用マイクロコンピュータ１００がステップＳ１８１３，Ｓ１８４５を実行する部分）と、事前決定手段の決定前に、有利状態に制御されるか否かを判定する特定判定手段（例えば、遊技制御用マイクロコンピュータ５６０がステップＳ１２１７，Ｓ１２２８を実行する部分）と、特定判定手段の判定結果に応じて該特定判定手段の判定対象に対応する保留表示を通常態様とは異なる表示態様（例えば、特殊態様や第１特別態様、第２特別態様）に変化させて表示する予告演出（例えば、先読み演出）を実行可能な予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）と、少なくとも、所定状態における保留表示として、保留表示の表示に伴い特定演出（例えば、出現演出）を実行し、所定の周期（例えば、１秒）で動作表示する特定保留表示（例えば、図５６に示す特定保留表示）を表示させることが可能な特定保留表示実行手段（例えば、演出制御用マイクロコンピュータ１００におけるステップＳ８００Ａを実行する部分）とを備え、保留表示のうちのいずれの保留表示の表示態様が変化するかに応じて期待度が異なり（例えば、演出制御用マイクロコンピュータ１００が、最終表示態様にもとづいて、先読み演出パターンを決定する先読み演出決定処理（ステップＳ６７１，Ｓ６７１０６，Ｓ６７１０７）を実行する部分と、先読み演出決定処理の決定結果にもとづいて、ステップＳ１８１３，Ｓ１８４５を実行する部分。図３４参照。例えば、演出制御用マイクロコンピュータ１００が、最終表示態様と先読み演出パターンとにもとづいて、変化タイミングを決定する先読み演出決定処理（ステップＳ６７１，Ｓ６７１０８）を実行する部分と、先読み演出決定処理の決定結果にもとづいて、ステップＳ１８１３，Ｓ１８４５を実行する部分。図３５〜図３８参照。）、特定保留表示実行手段は、特定保留表示の表示中に新たな特定保留表示を表示させるときに、特定演出の実行後に、表示中の特定保留表示の動作表示に新たな特定保留表示の動作表示を同期させる（例えば、演出制御用マイクロコンピュータ１００におけるステップＳ６０３９〜Ｓ６０５３，Ｓ６０５９〜Ｓ６０６６を実行する部分）ことを特徴とする。
そのような構成により、いずれの保留表示の表示態様が変化するかに関心を持たせることができ、さらに異なる期待度により予告することができるため、予告演出の興趣を高めることができる。また、特定保留表示の動作表示を同期させるので、特定保留表示を表示可能に構成した場合に保留表示の見栄えを確保することができる。
【手続補正４】
【補正対象書類名】明細書
【補正対象項目名】００１０
【補正方法】変更
【補正の内容】
【００１０】
（手段２）手段１において、保留表示の表示態様は、通常態様と該通常態様とは異なる複数段階の表示態様（例えば、特殊態様や第１特別態様、第２特別態様）とを含み、予告演出実行手段は、保留表示のうちに通常態様とは異なる表示態様により表示されている保留表示がある場合には、高い割合により通常態様とは異なる表示態様により表示されている保留表示を現段階よりも高い段階の表示態様に変化させて表示する（例えば、演出制御用マイクロコンピュータ１００が、第３先読み演出パターン（通常態様から特別態様に変化する）よりも第２先読み演出パターン（通常態様から特殊態様、特殊態様から特別態様に変化する）に決定されやすい先読み演出パターン決定テーブルを用いて先読み演出パターンを決定するとともに、保留表示変化中フラグがセットされているか否かにもとづいて、判定値が異なる割合で設定された先読み演出実行決定テーブルと、先読み演出パターン変化タイミング決定テーブルとを選択して用いて、先読み演出の実行の有無と実行する場合の変化タイミングとを決定する先読み演出決定処理（ステップＳ６７１，Ｓ６７１０４，Ｓ６７１０７，Ｓ６７１０８）を実行する部分と、先読み演出決定処理の決定結果にもとづいて、ステップＳ１８１３，Ｓ１８４５を実行する部分。図３３〜図３８参照）ように構成されていてもよい。
そのような構成によれば、通常態様とは異なる表示態様により表示されている保留表示がある場合には、その保留表示が現段階よりも高い段階の表示態様に変化する割合が高いため、予告演出の興趣を高めることができる。
【手続補正５】
【補正対象書類名】明細書
【補正対象項目名】００１１
【補正方法】変更
【補正の内容】
【００１１】
（手段３）手段１または手段２において、予告演出実行手段は、保留表示を通常態様とは異なる表示態様である複数種類の特別態様（第１特別態様または第２特別態様）のいずれかに変化させて表示する予告演出を実行可能であり、保留表示の表示態様は、通常態様に比べて特別態様に変化しやすい特殊態様を含み、予告演出実行手段は、通常態様により表示されている保留表示を特別態様に変化させて表示するときと、特殊態様により表示されている保留表示を特別態様に変化させて表示するときとで、異なる割合により複数種類の特別態様のいずれかに変化させて表示する（例えば、演出制御用マイクロコンピュータ１００が、最終表示態様にもとづいて、先読み演出パターンを決定する先読み演出決定処理（ステップＳ６７１，Ｓ６７１０６，Ｓ６７１０７）を実行する部分と、先読み演出決定処理の決定結果にもとづいて、ステップＳ１８１３，Ｓ１８４５を実行する部分。図３４参照）ように構成されていてもよい。
そのような構成によれば、異なる期待度により予告することができ、予告演出の興趣を高めることができる。
【手続補正６】
【補正対象書類名】明細書
【補正対象項目名】００１２
【補正方法】変更
【補正の内容】
【００１２】
（手段４）手段１から手段３のうちのいずれかにおいて、示唆演出実行手段は、保留表示の表示態様が変化する可能性を異なる期待度により示唆する複数種類の示唆演出（例えば、第１演出態様または第２演出態様の示唆演出）を実行可能であり、示唆演出実行手段によって所定の期待度の示唆演出（例えば、第２演出態様の示唆演出）が実行されたが、保留表示の表示態様が変化しなかったときに所定の期待度よりも低い期待度の示唆演出（第２演出態様の示唆演出よりも期待度が低い第１演出態様の示唆演出）が実行されることを制限する示唆演出制限手段を備える（例えば、演出制御用マイクロコンピュータ１００が、示唆演出制限フラグをセットする部分（ステップＳ１８０６ｂ）と、示唆演出制限フラグの状態にもとづいて示唆演出態様を決定する部分（ステップＳ１８０６）。図６０参照）ように構成されていてもよい。
そのような構成によれば、期待感を持たせられなくなることを防止することができる。